(57)【要約】      （修正有） 【課題】農作業等の際に顔部分を保護するマスクの提供。【解決手段】右端部３ｂの正面側には正面係止部材４を左端部３ａの背面側には背面係止部材４ａを縫着し、前記背面側の両辺には補強部３ｃを設け、上片に折り返し部３ｄを設けた三角形状の保護布３と、前記折り返し部３ｄに吸収布上片９ｂを折り込んで縫着された三角形状の吸収布９とからなるマスク本体２と、両端に縫着部６ａ、６ａを設け折り返し部３ｄに縫着した横バンド６と先端に係止部材８を設け係止部７ａにより横バンド６のほぼ中央から垂直に設けた縦バンド７からなるズレ防止バンド５とからなる農作業用マスク１。【選択図】図２
0003113418.tif 000002
【実用新案登録請求の範囲】
【請求項１】
右端部の正面側に正面係止部材を左端部の背面側に背面係止部材を縫着し、背面側の両辺に補強部を設け、上片に折り返し部を設けた三角形状の保護布と折り返し部に上片を折り込んで縫着した三角形状の吸収布とからなるマスク本体と、両端に縫着部を設け折り返し部に縫着した横バンドと先端に係止部材を設け係止部により横バンドのほぼ中央から垂直に設けた縦バンドからなるズレ防止バンドとからなることを特徴とする農作業用マスク。
【請求項２】
右端部の正面側には正面係止部材を左端部の背面側には背面係止部材を縫着し、前記背面側の両辺には補強部を設け、上片に折り返し部を設けた三角形状の保護布と前記折り返し部に吸収布上片を折り込んで縫着した三角形状の吸収布とからなるマスク本体と、両端に縫着部を設け折り返し部に縫着した横バンドとからなることを特徴とする農作業用マスク。
【請求項３】
右端部の正面側には正面係止部材を左端部の背面側には背面係止部材を縫着し、前記背面側の両辺には補強部を設け、上片に折り返し部を設けた三角形状の保護布と、前記折り返し部に吸収布上片を折り込んで縫着した三角形状の吸収布とからなることを特徴とする農作業用マスク。
【考案の詳細な説明】
【技術分野】
【０００１】
本発明は、農作業等の際に顔の口の部分、鼻の部分及び顎の部分に着用して、紫外線や粉塵から当該部分を保護する農作業用マスクに関する発明である。
【背景技術】
【０００２】
従来の農作業用マスクは、手ぬぐい等を鼻や口元にあてたり市販品を購入する事が多かった。しかしながら、手ぬぐい等を代用すると通気性が悪く蒸れてしまったり、作業中にズレたり外れてしまうことも多く、日焼け防止の面でも十分な効果を得られない事も多かった。一方、市販品等を購入すると日焼け防止等の効果は高いものの高価であったり自分の顔のサイズとうまく合わないことも多かった。
【特許文献１】特開平１１−００１８１５号公報
【考案の開示】
【考案が解決しようとする課題】
【０００３】
そこで、本発明は、日焼けや蒸れ、ズレ落ちを防止し、身近な材料を使い簡単で安価になおかつ自分のサイズに合わせて作ることのできる農作業用マスクを提供することを目的とするものである。
【課題を解決するための手段】
【０００４】
本発明は、上記の課題を解決するために、右端部３ｂの正面側には正面係止部材４を左端部３ａの背面側には背面係止部材４ａを縫着し、前記背面側の両辺には補強部３ｃを設け、上片に折り返し部３ｄを設けた三角形状の保護布３と、前記折り返し部３ｄに吸収布上片９ｂを折り込んで縫着された三角形状の吸収布９とからなるマスク本体２と、両端に縫着部６ａ、６ａを設け折り返し部３ｄに縫着した横バンド６と先端に係止部材８を設け係止部７ａにより横バンド６のほぼ中央から垂直に設けた縦バンド７からなるズレ防止バンド５とからなることを特徴とする農作業用マスク１の構成、右端部３ｂの正面側には正面係止部材４を縫着し、左端部３ａの背面側には背面係止部材４ａを縫着し、前記背面側の両辺には補強部３ｃを設け、上片に折り返し部３ｄを設けた三角形状の保護布３と、前記折り返し部３ｄに吸収布上片９ｂを折り込んで縫着された三角形状の吸収布９とからなるマスク本体２と、両端に縫着部６ａ、６ａを設け折り返し部３ｄに縫着した横バンド６とからなることを特徴とする農作業用マスク１の構成及び右端部３ｂの正面側には正面係止部材４を縫着し、左端部３ａの背面側には背面係止部材４ａを縫着し、前記背面側の両辺には補強部３ｃを設け、上片に折り返し部３ｄを設けた三角形状の保護布３と、前記折り返し部３ｄに吸収布上片９ｂを折り込んで縫着された三角形状の吸収布９とからなることを特徴とする農作業用マスク１の構成とした。
【考案の効果】
【０００５】
本発明の農作業用マスクは、身近な素材で誰にでも簡単に作ることができ、コストを低く抑えることができる。鼻から下を覆う保護布が日焼けを、内側に配された吸収布が蒸れを、横バンドや縦バンドがズレ落ちを防止する。
また、保護布の両端と縦バンドの先端には係止部材が付いていて、保護布の両端の正面及び背面係止部材は１０ｃｍ〜１２ｃｍ程の長さを持たせており、その分農作業用マスクを装着した際の保護布の幅の調節が可能であり自分の顔のサイズに合わせて使用できる。縦バンドの先端の面係止部材は保護布の両端の正面及び背面係止部材同士に係合させて使用するが、この係合位置も保護布の背面及び背面面係止部材の長さ分の幅がありサイズの調節ができる。
更に、素材がゴムであるので伸縮可能で調節もしやすい。その他、本発明の農作業用マスクは作業中の汗ふき代わりにも使え、冬場は防寒にもなる。シンプルな構造であるため、形やサイズのアレンジ等も容易で、自分に合った農作業用マスクを作成することができる。
【考案を実施するための最良の形態】
【０００６】
日焼けや蒸れ、ズレ落ちを防止し安価でサイズ調節も容易な農作業用マスクという目的を、保護布の内側に吸収布を配し左右端に正面及び背面係止部材を設け、頭部に横バンドと縦バンドとからなるズレ防止バンドを設けることで実現した。
【実施例１】
【０００７】
以下に、添附図面に基づき、本発明である農作業用マスク１について詳細に説明する。図１は本発明である農作業用マスクの正面図、図２は農作業用マスクの背面図とマスクマスク本体の断面図である。図１及び図２に示すように、農作業用マスク１は、マスク本体２とマスク本体２を着用時にずれるのを防止するためのズレ防止バンド５とからなる。
【０００８】
図１及び図２（ａ）に示すように、マスク本体２は、右端部３ｂの正面側に長さ１０ｃｍ〜１２ｃｍ程の正面係止部材４を縫着し、左端部３ａの背面側に長さ１０ｃｍ〜１２ｃｍ程の背面係止部材４ａを縫着する。
【０００９】
図２に示すように、三角形状のマスク本体２は、背面側の両辺に補強部３ｃ、３ｃを設けるとともに上部に折り返し部３ｄを設けた三角形状の保護布３と、折り返し部３ｄに吸収布９の上片９ｂを折り込んで縫着した三角形状の吸収布９とからなる。正面及び背面係止部材４、４ａの長さは、装着時や使用時に支障をきたさなければの長さに限定されるものではなく長くしても良いし短くしてもよい。
【００１０】
図２（ｂ）に示すように、吸収布９の吸収布上片９ｂは、折り返し部３ｄの内方に縫着されているが、吸着布９の先端部９ａはどこにも縫着又は係止されていない。これは、通気性を良くするためである。
【００１１】
ズレ防止バンド５は、横バンド６と縦バンド７からなる。横バンド６の両端は、折り返し部３ｄに縫着部６ａ、６ａで縫着されている。そして、縦バンド７は、先端に係止部材８が取り付けられていて、係止部７ａで横バンド６のほぼ中央から垂直に、しかも矢印に示すように左右方向にスライド可能に係止されていている。
【００１２】
横バンド６及び横バンド６のほぼ中央に係止部７ａにて係止した縦バンド７は、ゴム素材であるため伸縮可能である。ズレ防止バンド５の横バンド６の両端が、縫着部６ａで保護布３の折り返し部３ｄに縫着されることにより、ズレ防止バンド５がマスク本体２に取り付けられている。
【００１３】
図３は、本発明である農作業用マスクの斜視図である。図３に示すように、本発明である農作業用マスク１を装着する際は、保護布３の左右端部３ａ、３ｂを重ね合わせるようにして、左右端部３ａ、３ｂにそれぞれ縫着された背面係止部材４ａと正面係止部材４を係止させる。
【００１４】
この時、正面及び背面係止部材４ａ、４は長さが１０ｃｍ〜１２ｃｍ程あるので係止部分が大きくよりしっかりと係止する。またこの長さ分係止位置をずらせる事で農作業用マスク装着時の保護布３の幅の調節が可能になる。
【００１５】
縦バンド７の先端に設けられた係止部材８は背面係止部材４ａと正面係止部材４との間に挟むことで係止し、ズレ防止バンド５がマスク本体２としっかり固定される。また、この時も、正面及び背面係止部材４ａ、４の長さが１０ｃｍ〜１２ｃｍ程あるのでこの長さ分係止部材８の係止位置をずらす事ができる。
【００１６】
これにより、本発明である農作業用マスク１の装着時の保護布３の幅が多少変わっても縦バンド７はいつでも後頭部の中央に位置し、ズレ防止バンド５のバランスが崩れることがない。
【００１７】
図４は本発明である農作業用マスクの使用状態を示した正面図、図５は農作業用マスクの使用状態を示した背面図である。図４及び図５に示すように、顔部１０の頬から下を保護布３で覆い、背面の後頭部で正面係止部材４と背面係止部材４ａを係止させて装着する。
【００１８】
横バンド６は頭部１１の頂部及び両脇に掛け渡し、横バンド６の中央から後頭部に沿って縦バンド７を掛け渡し、縦バンド７の係止部材８を正面及び背面係止部材４、４ａの間に係止させて着用する。横バンド６に移動可能に係止させた縦バンド７が後頭部に掛け渡されることで、横バンド６とマスク本体２が前方にズレてしまうのを防止する。
【００１９】
図４に示すように、保護布３は鼻や口等の呼吸器を保護し、また顔部１０の日焼けを防止する役割を持つ。内側に配された吸収布９は吸収素材（タオルなど）であるため汗をしっかり吸収し、被覆内の湿度を下げ蒸れを防止する。吸収布９の先端部９ａは口元までカバーできる。
【００２０】
また、保護布３は顔面の大半を覆い、吸収布９が呼吸器を保護するので、冬場は防寒具としても活用できる。構造がシンプルであるため作成はもちろん形やサイズのアレンジ等も容易である。また、材料も身近なものなので自分に合った農作業用マスクを安価で作成することができる。
【実施例２】
【００２１】
図６は本発明である農作業用マスクの第２実施例の背面図とマスク本体の断面図、図７は農作業用マスクの第２実施例の斜視図である。
【００２２】
図６、図７に示すように、農作業用マスク１ａは、右端部３ｂの正面側に長さ１０ｃｍ〜１２ｃｍ程の正面係止部材４を縫着し左端部３ａの背面側に長さ１０ｃｍ〜１２ｃｍ程の背面係止部材４ａを縫着し背面側の両辺に補強部３ｃ、３ｃを設けその上片に折り返し部３ｄを設けた三角形状の保護布３と折り返し部３ｄに吸収布上片９ｂを折り込んだ状態で縫着された吸収布９とからなるマスク本体２と、両端に縫着部６ａを設け折り返し部３ｄに縫着した横バンド６とからなる。正面及び背面係止部材４、４ａの長さは装着時や使用時に支障をきたさなければこれに限定するものではない。
【００２３】
図６（ｂ）に示すように、吸収布９の吸収布上片９ｂは折り返し部３ｄに縫着されているが、先端部９ａはどこにも縫着または係止されておらず、通気性を保っている。
【００２４】
図７に示すように、農作業用マスク１ａを装着する際は、保護布３の左右端部３ａ、３ｂを重ね合わせるような形にし、左右端部３ａ、３ｂにそれぞれ縫着された背面係止部材４ａと正面係止部材４を係止させる。
【００２５】
この時、正面及び背面係止部材４ａ、４は長さが１０ｃｍ〜１２ｃｍ程あるので係止部分が大きくよりしっかりと係止する。またこの長さ分係止位置をずらせる事で農作業用マスク装着時の保護布３の幅の調節が可能になる。
【００２６】
横バンド６は、ゴム素材であるため伸縮可能である。装着の際は頭部の両脇を横バンド６で掛け渡すようにして農作業用マスク１ａを装着する。
【実施例３】
【００２７】
図８は本発明である農作業用マスクの第３実施例の背面図とマスク本体の断面図、図９は農作業用マスクの第３実施例の斜視図である。
【００２８】
図８（ａ）、図８（ｂ）及び図９に示すように、農作業用マスク１ｂは、右端部３ｂの正面側に長さ１０ｃｍ〜１２ｃｍ程の正面係止部材４を縫着し、左端部３ａの背面側に長さ１０ｃｍ〜１２ｃｍ程の背面係止部材４ａを縫着し、背面側の両辺に補強部３ｃ、３ｃを設け、その上片に折り返し部３ｄを設けた三角形状の保護布３と、折り返し部３ｄに吸収布上片９ｂを折り込んだで縫着された吸収布９とからなる。正面及び背面係止部材４、４ａの長さは装着時や使用時に支障をきたさなければこれに限定するものではない。
【００２９】
図８（ｂ）に示すように、吸収布９の吸収布上片９ｂは折り返し部３ｄに縫着されているが、先端部９ａはどこにも縫着または係止されておらず、通気性を保っている。
【００３０】
図９に示すように、農作業用マスク１ｂを装着する際は保護布３の左右端部３ａ、３ｂを重ね合わせるような形にし、左右端部３ａ、３ｂにそれぞれ縫着された背面係止部材４ａと正面係止部材４を係止させる。
【００３１】
この時、正面及び背面係止部材４、４ａは、長さが１０ｃｍ〜１２ｃｍ程あるので係止部分が大きくよりしっかりと係止する。また、この長さ分係止位置をずらせる事で農作業用マスク装着時の保護布３の幅の調節が可能になる。
【図面の簡単な説明】
【００３２】
【図１】本発明である農作業用マスクの第１実施例の正面図である。
【図２】本発明である農作業用マスクの第１実施例の背面図とマスク本体の断面図である。
【図３】本発明である農作業用マスクの第１実施例斜視図である。
【図４】本発明である農作業用マスクの第１実施例使用状態を示した正面図である。
【図５】本発明である農作業用マスクの第１実施例の使用状態を示した背面図である。
【図６】本発明である農作業用マスクの第２実施例の背面図とマスク本体の断面図、である。
【図７】本発明である農作業用マスクの第２実施例の斜視図である。
【図８】は本発明である農作業用マスクの第３実施例の背面図とマスク本体の断面図である。
【図９】本発明である農作業用マスクの第３実施例の斜視図である。
【符号の説明】
【００３３】
１      農作業用マスク
１ａ    農作業用マスク
１ｂ    農作業用マスク
２      マスク本体
３      保護布
３ａ    左端部
３ｂ    右端部
３ｃ    補強部
３ｄ    折り返し部
４      正面係止部材 
４ａ    背面係止部材
５      ズレ防止バンド
６      横バンド
６ａ    縫着部
７      縦バンド
７ａ    係止部
８      係止部材
９      吸収布
９ａ    先端部
９ｂ    吸収布上片
１０    顔部
１１    頭部
【図１】
0003113418.tif 000003
【図２】
0003113418.tif 000004
【図３】
0003113418.tif 000005
【図４】
0003113418.tif 000006
【図５】
0003113418.tif 000007
【図６】
0003113418.tif 000008
【図７】
0003113418.tif 000009
【図８】
0003113418.tif 000010
【図９】
0003113418.tif 000011